(57)【要約】  偏光板切り換え機構を内蔵したカメラであって、偏光板切り換え機構（２００）とカメラ本体（１００）を含む。カメラ本体の先端には前カバー（１）が設けられており、前カバーには通光孔（１１）が設けられている。偏光板切り換え機構は前カバーの後方で、カメラ本体の内部に位置する。偏光板切り換え機構の後方にはＣＣＤ画像センサー（３０１）が設けられており、ＣＣＤ画像センサーと通光孔は正対している。ＣＣＤセンサーはＣＣＤ回路基板（３００）に固定されており、ＣＣＤ画像センサーの後部は放熱板（３０２）に貼着している。カメラ本体内には更に主回路基板（４００）が装着されており、主回路基板とＣＣＤ回路基板は接続されている。本発明は偏光板切り換え機構をカメラ内に集積しており、切り換え機構とカメラの体積縮減に効果的である。
2015505380.tif 000002
【特許請求の範囲】
【請求項１】
偏光板切り換え機構（２００）とカメラ本体（１００）を含み、前記カメラ本体（１００）の先端に前カバー（１）が設けられており、前カバー（１）には通光孔（１１）が設けられている、偏光板切り換え機構を内蔵したカメラであって、
前記偏光板切り換え機構（２００）は前カバー（１）の後方でカメラ本体（１００）の内部に位置し、偏光板切り換え機構（２００）の後方にはＣＣＤ画像センサー（３０１）が設けられており、ＣＣＤ画像センサー（３０１）と前記通光孔（１１）は正対しており、ＣＣＤ画像センサー（３０１）はＣＣＤ回路基板（３００）に固定されており、ＣＣＤ画像センサー（３０１）の後部は放熱板（３０２）に貼着しており、前記カメラ本体（１００）内には更に主回路基板（４００）が装着されており、主回路基板（４００）とＣＣＤ回路基板（３００）は電気接続されていることを特徴とするカメラ。
【請求項２】
前記カメラ本体（１００）は、Ｕ型のベース（１０１）、上カバー（１０２）、後カバー（１０３）及び前記前カバー（１）からなる密閉筐体であることを特徴とする請求項１に記載のカメラ。
【請求項３】
前記偏光板切り換え機構はスライド台（３）と駆動装置（２）を含み、前記前カバー（１）にはスライド溝（１２）が設けられており、前記スライド台（３）には少なくとも１の偏光板（４，５）が固着されており、スライド台（３）は伝動側面（３１）とスライド側面（３４）を備え、伝動側面（３１）とスライド側面（３４）は平行であり、前記伝動側面（３１）にはラック（３２）が設けられており、ラック（３２）は前記駆動装置の出力ギヤ（２１）と噛合し、
前記スライド側面（３４）と前記スライド溝の第１側壁（１３）は平行に対向しており、前記スライド溝の第１側壁（１３）には弾性ガイド（７）が装着されており、弾性ガイド（７）は前記スライド側面（３４）に滑合し、且つ前記スライド側面（３４）に押圧力を加えることを特徴とする請求項１に記載のカメラ。
【請求項４】
前記駆動装置（２）はマイクロモーターであり、マイクロモーターの出力軸に前記出力ギヤ（２１）が固着されていることを特徴とする請求項３に記載のカメラ。
【請求項５】
前記弾性ガイド（７）は弾性を有する弾性鋼線であり、前記弾性鋼線は直線部（７１）及び両端の湾曲部（７２）を含み、両端の湾曲部（７２）は前記前カバー（１）に固定されていることを特徴とする請求項３に記載のカメラ。
【請求項６】
前記前カバー（１）には２つのＵ形溝（１４）が設けられており、弾性鋼線の両端の湾曲部（７２）は２つのＵ形溝（１４）内に固定されていることを特徴とする請求項５に記載のカメラ。
【請求項７】
前記スライド側面（３４）にはガイド溝が設けられており、ガイド溝と前記弾性鋼線の直線部（７１）とが滑合することを特徴とする請求項５に記載のカメラ。
【請求項８】
前記スライド台（３）には更に上カバープレート（６）が固着されており、前記フィルタ（４，５）は上カバープレート（６）とスライド台（３）の間に位置することを特徴とする請求項３に記載のカメラ。
【請求項９】
前記スライド台（３）には係合溝（３３）が設けられており、前記上カバープレート（６）には係合爪（６１）が設けられて前記係合溝（３３）に係着することを特徴とする請求項８に記載のカメラ。
【発明の詳細な説明】
【技術分野】
【０００１】
本発明はカメラに関し、具体的には、偏光板切り換え機構を備えたカメラに関する。
【背景技術】
【０００２】
カメラで景物を撮影する際、特に光を反射する物体、例えば光を反射する金属面、ガラス面等を撮影する場合には、より鮮明な画像を得るために偏光板を装着する必要がある。カメラには偏光板切り換え機構を設ける必要があり、カメラが偏光板の使用を要する場合には、切り換え機構を介して偏光板を自動的に結像光路へ装着可能である。偏光板が不要な場合は、切り換え機構を介して偏光板を撤去することもできるため、偏光板切り換え機構は可視光フィルタと偏光フィルタの切り換えを実現可能である。
【０００３】
従来のカメラの偏光板（又は偏光板切り換え機構）は、いずれもレンズの外側に配置されていた。よって、カメラの全体構造が複雑化してシステムの信頼性が低下し、システムにおける故障メンテナンスの作業量が増加していた。また、偏光板はレンズの外側に設置され、レンズにおける対物レンズのサイズに一致、或いはより大サイズとせねばならないことから、必要とされる偏光板の面積がより大きくなり、切り換え機構の体積を増大させ、取り付けに不便であった。
【発明の概要】
【発明が解決しようとする課題】
【０００４】
本発明は、従来技術における上記の欠陥を克服するために、偏光板切り換え機構を内蔵したカメラを提供することを解決すべき技術的課題とする。
【０００５】
上記の技術的課題を解決するために、本発明は以下の技術方案を用いる。即ち、偏光板切り換え機構を内蔵したカメラであって、偏光板切り換え機構とカメラ本体を含み、前記カメラ本体の先端に前カバーが設けられており、前カバーには通光孔が設けられており、前記偏光板切り換え機構は前カバーの後方でカメラ本体の内部に位置し、偏光板切り換え機構の後方にはＣＣＤ画像センサーが設けられており、ＣＣＤ画像センサーと前記通光孔は正対しており、ＣＣＤ画像センサーはＣＣＤ回路基板に固定されており、ＣＣＤ画像センサーの後部は放熱板に貼着しており、前記カメラ本体内には更に主回路基板が装着されており、主回路基板とＣＣＤ回路基板は電気接続されている。
【０００６】
好ましくは、前記カメラ本体は、Ｕ型のベース、上カバー、後カバー及び前記前カバーからなる密閉筐体である。
【０００７】
好ましくは、前記偏光板切り換え機構はスライド台と駆動装置を含み、前記前カバーにはスライド溝が設けられており、前記スライド台には少なくとも１の偏光板が固着されており、スライド台は伝動側面とスライド側面を備え、伝動側面とスライド側面は平行であり、前記伝動側面にはラックが設けられており、ラックは前記駆動装置の出力ギヤと噛合し、前記スライド側面と前記スライド溝の第１側壁は平行に対向しており、前記スライド溝の第１側壁には弾性ガイドが装着されており、弾性ガイドは前記スライド側面に滑合し、且つ前記スライド側面に押圧力を加える。
【０００８】
更に好ましくは、前記駆動装置はマイクロモーターであり、マイクロモーターの出力軸に前記出力ギヤが固着されている。
【課題を解決するための手段】
【０００９】
更に好ましくは、前記弾性ガイドは弾性を有する弾性鋼線であり、当該弾性鋼線は直線部及び両端の湾曲部を含み、両端の湾曲部は前記前カバーに固定されている。
【００１０】
更に好ましくは、前記前カバーには２つのＵ形溝が設けられており、弾性鋼線の両端の湾曲部は２つのＵ形溝内に固定されている。
【００１１】
更に好ましくは、前記スライド側面にはガイド溝が設けられており、ガイド溝と前記弾性鋼線の直線部とが滑合する。
【００１２】
更に好ましくは、前記スライド台には更に上カバープレートが固着されており、前記フィルタは上カバープレートとスライド台の間に位置する。
【００１３】
更に好ましくは、前記スライド台には係合溝が設けられており、前記上カバープレートには係合爪が設けられて前記係合溝に係着する。
【発明の効果】
【００１４】
従来技術と比較して、本発明は以下の有益な効果を備える。即ち、偏光板切り換え機構をカメラ内に集積したことから、偏光板はレンズのアイピースにのみ適合すればよいため、偏光板の面積が外部設置式の構造に比べ小さくなり、切り換え機構とカメラの体積縮減に効果的である。更に、偏光板切り換え機構を内蔵する設計は構造全体が外部と隔絶されるため、切り換え機構におけるプラスチック部品の劣化を遅らせることができるほか、偏光板の防塵についての課題も解決される。
【図面の簡単な説明】
【００１５】
【図１】図１は、本発明の偏光板切り換え機構を内蔵したカメラの外観を示す図である。
【図２】図２は、本発明の偏光板切り換え機構を内蔵したカメラの構造を示す分解図である。
【図３】図３は、本発明の偏光板切り換え機構を内蔵したカメラの立体分解図である。
【図４】図４は、本発明における偏光板切り換え機構の立体組立図である。
【図５】図５は、本発明の偏光板切り換え機構の構造を示す分解図である。
【図６】図６は本発明の偏光板切り換え機構における切り換え動作前の状態を示す図である。
【図７】図７は本発明の偏光板切り換え機構における切り換え動作後の状態を示す図である。
【発明を実施するための形態】
【００１６】
以下に、図面と具体的な実施形態を組み合わせて本発明を更に詳細に説明する。
【００１７】
図１に示すように、本発明の偏光板切り換え機構を内蔵したカメラは、密閉筐体状のカメラ本体１００を含み、カメラ本体１００の先端には前カバー１が設けられている。
【００１８】
図２、図３に示すように、カメラ本体は、Ｕ型のベース１０１、上カバー１０２、後カバー１０３及び前記前カバー１とで構成される。カメラ本体の内部には、偏光板切り換え機構２００、ＣＣＤ画像センサー３０１、ＣＣＤ回路基板３００及び主回路基板４００等が設けられている。前カバー１には通光孔１１が設けられており、偏光板切り換え機構２００は前カバー１の後方に位置し、偏光板切り換え機構２００の後方にはＣＣＤ画像センサー３０１が設けられており、ＣＣＤ画像センサー３０１と通光孔１１は正対しており、ＣＣＤ画像センサー３０１はＣＣＤ回路基板３００に固定されており、ＣＣＤ回路基板３００と主回路基板４００は電気接続されている。ＣＣＤ画像センサー３０１の後部は、放熱しやすいように更に放熱板３０２に貼着している。
【００１９】
前カバー１の前面はレンズの取り付けに用いられるため、本発明では偏光板切り換え機構をレンズとＣＣＤセンサーの間に設けることになり、この点において、レンズの前面に偏光板切り換え機構を装着する従来技術とは大きく異なっている。
【００２０】
図４、図５に示すように、前カバー１にはスライド溝１２が設けられており、通光孔１１はスライド溝１２の底部に配置されている。偏光板切り換え機構はスライド台３と駆動装置２を含む。スライド台３は略矩形フレーム形状であり、スライド台３には少なくとも１の異なる偏光板４，５（１の偏光板＋フィルタとしてもよいし、１のフィルタのみとしてもよい）が固着されている。スライド台３は伝動側面３１とスライド側面３４を備え、伝動側面３１とスライド側面３４は平行である。伝動側面３１にはラック３２が設けられており、ラック３２は前記駆動装置２の出力ギヤ２１と噛合する。本実施例では、駆動装置２はマイクロモーターであり、マイクロモーターの出力軸に前記出力ギヤ２１が固着されている。
【００２１】
偏光板４，５を固定するために、スライド台３には上カバープレート６を固着可能であり、偏光板４，５は上カバープレート６とスライド台３の間で圧着されている。上カバープレート６の着脱を容易とするために、上カバープレート６とスライド台３間には係合接続方式を用いることができる。即ち、スライド台３に係合溝３３を設け、上カバープレート６に係合爪６１を設けて、係合爪６１を係合溝３３内に挿入可能とすることで係着が実現される。
【００２２】
スライド台３のスライド側面３４と前記スライド溝１２の第１側壁１３は平行に対向している。第１側壁１３には弾性ガイド７が装着されており、弾性ガイド７は前記スライド側面３４と滑合し、且つ前記スライド側面３４に押圧力を加える。弾性ガイド７は様々な実現形態が可能であり、例えば、可動の剛性ガイドの背面にバネを加えて支持することで実現可能である。本発明の好ましい実施例では、弾性ガイド７として弾性を有する弾性鋼線を用い、当該弾性鋼線７は直線部７１及び両端の湾曲部７２を含む。前カバー１には２つのＵ形溝１４が設けられており、弾性鋼線の両端の湾曲部７２がねじ８によってそれぞれ２つのＵ形溝１４内に固定されている。更に、前記スライド側面３４にガイド溝を設け、弾性鋼線の直線部７１がガイド溝内に嵌入してガイド溝と滑合してもよい。言うまでもなく、前記ガイド溝はスライド台３の側面、又は上カバープレート６の側面、或いは上カバープレート６とスライド台３の結合部位に位置する可能性があるが、これらいずれの場合もガイド溝がスライド側面３４に位置するとみなされる。
【００２３】
次に、本発明の偏光板切り換え機構の動作原理について説明する。
【００２４】
図６に示すように、ある動作状態において、スライド台３は上限位置に配置され、当該位置において、偏光板５と前カバーの通光孔が対向してフィルタ効果が実現される。弾性鋼線７はスライド台３に押圧力Ｆを加え、スライド台３をしっかりと挟んで当該限界位置に位置決めし、振動等によるスライド台３の不要な変位を防止可能とする。偏光板が不要な場合は、駆動装置が出力ギヤ２１を回転させることでラック３２及びスライド台３を下向きにスライドさせる。スライド過程において、弾性鋼線７はスライド台３が下限位置に到達するまでガイド作用を奏することができる。図４に示すように、このとき、偏光板５は通光孔と対向する位置から移動して、偏光板の切り替えが実現される。
【００２５】
使用過程において、弾性鋼線７はラック３２と出力ギヤ２１を緊密に噛合させ、良好に伝動させる。一定期間使用したのち、ラック３２と出力ギヤ２１の間に摩耗が生じた場合、弾性鋼線７の弾性作用によってラック３２と出力ギヤ２１間の隙間は自動的に解消されるので、ラック３２と出力ギヤ２１の緊密な接触と良好な伝動が保証される。
【００２６】
本発明は、より鮮明な写真を得るべく、カメラがグレア存在下において偏光板を切り換えるために用いられる。偏光板切り換え機構はカメラの内部プログラムによって制御され、簡単な設定で自動切り換えを実現可能である。本発明は、長期使用による摩耗隙間を自動的に解消可能であり、結像面サイズの異なる各種画像センサーに適用することができる。本発明の偏光板切り換え機構は、偏光板をスライド台と上カバープレートからなる空間内に密着させ、ぐらつきが発生しないよう保証可能である。本発明の偏光板切り換え機構は体積が小さく、カメラの体積縮減に一層効果的である。
【図１】
2015505380.tif 000003
【図２】
2015505380.tif 000004
【図３】
2015505380.tif 000005
【図４】
2015505380.tif 000006
【図５】
2015505380.tif 000007
【図６】
2015505380.tif 000008
【図７】
2015505380.tif 000009
【国際調査報告】
2015505380.tif 000010
2015505380.tif 000011
2015505380.tif 000012
2015505380.tif 000013
2015505380.tif 000014
2015505380.tif 000015